(57)【要約】  本発明は、繊維産業において特に融着性芯地として使用することができ、かつ、結合剤と熱可塑性ポリマーとを含む柔軟な二層接着構造に適用される不織布キャリア層を含む、熱融着性織布に関する。この熱融着性織布は、製造するのが容易であり、かつ費用対効果が高く、良好な弾性、良好な接着強度、良好な風合い、及び好ましい外観等の優れた特性によって特徴付けられ、キャリア層を利用可能にする工程（ａ）と、キャリア層の選択領域に、結合剤と熱可塑性ポリマーの混合物を塗布する工程（ｂ）と、工程（ｂ）で得られ、かつ混合物を含むキャリア層を熱処理して乾燥させ、場合によって結合剤を架橋し、キャリア層の表面上に又は表面と共に熱可塑性ポリマーを焼結する工程（ｃ）と、を含む方法によって得られる。【特許請求の範囲】
【請求項１】
繊維材料で構成されるバッキング層を有し、かつバインダーと熱可塑性ポリマーとを含む二層接着化合物構造を支持する、繊維産業において融着性芯地として特に有用な熱融着性シート材料であって、
バッキング層を提供する工程（ａ）と、
前記バインダーと前記熱可塑性ポリマーとの混合物を前記バッキング層の選択領域に塗布する工程（ｂ）と、
工程（ｂ）で得られた前記バッキング層を熱処理し、混合物を支持して乾燥させ、場合によって前記バインダーを架橋し、前記バインダーを支持するバッキング層の表面上に又は表面と共に前記熱可塑性ポリマーを焼結する工程（ｃ）と、
を含む方法によって得られることを特徴とする熱融着性シート材料。
【請求項２】
前記繊維材料が不織布を含むことを特徴とする請求項１に記載の熱融着性シート材料。
【請求項３】
前記不織布が、ポリエステル、ポリアミド、再生セルロース、及び／又はバインダー繊維、及び／又は羊毛及び綿繊維等の天然繊維で構成される、捲縮可能な、捲縮性の及び／又は非捲縮性のステープルファイバー、捲縮可能な、捲縮性の及び／又は非捲縮性の直接紡糸連続フィラメント繊維、又はメルトブロー繊維等の有限繊維を含むことを特徴とする請求項２に記載の熱融着性シート材料。
【請求項４】
前記繊維の繊維線密度が６．７デシテックス未満であることを特徴とする請求項１から３のいずれか一項に記載の熱融着性シート材料。
【請求項５】
前記熱可塑性ポリマーが、ポリエステル（共重合ポリエステル）ベースのポリマー、ポリアミド（共重合ポリアミド）ベースのポリマー、ポリオレフィンベースのポリマー、ポリウレタンベースのポリマー、エチレン酢酸ビニルベースのポリマー、及び／又は上記のポリマーの組み合わせ（混合物及び連鎖成長付加コポリマー）を含むことを特徴とする請求項１から４のいずれか一項に記載の熱融着性シート材料。
【請求項６】
前記熱可塑性ポリマーが粒子の状態で前記混合物中に存在することを特徴とする請求項１から５のいずれか一項に記載の熱融着性シート材料。
【請求項７】
前記粒子の直径が５００μｍ未満であることを特徴とする請求項６に記載の熱融着性シート材料。
【請求項８】
前記バインダーが、アクリレート、スチレン−アクリレート、エチレン−酢酸ビニル、ブタジエン−アクリレート、ＳＢＲ、ＮＢＲ、及び／又はポリウレタン系のバインダーを含むことを特徴とする請求項１から７のいずれか一項に記載の熱融着性シート材料。
【請求項９】
熱可塑性ポリマーとバインダーとの前記混合物が、分散液の状態で塗布されることを特徴とする請求項１から８のいずれか一項に記載の熱融着性シート材料。
【請求項１０】
前記分散液が、増粘剤、分散剤、湿潤剤、流動調整剤、風合い改質剤、及び／又は充填剤等の助剤を更に含むことを特徴とする請求項９に記載の熱融着性シート材料。
【請求項１１】
前記分散液がスクリーン印刷法によって塗布されることを特徴とする請求項１から１０のいずれか一項に記載の熱融着性シート材料。
【請求項１２】
バインダーと熱可塑性ポリマーとの前記混合物又は分散液が、規則的又は不規則的に分布するポイントパターンで前記バッキング層に塗布されることを特徴とする請求項１から１１のいずれか一項に記載の熱融着性シート材料。
【発明の詳細な説明】
【技術分野】
【０００１】
本発明は、繊維材料で構成されるバッキング層を有し、かつバインダーと熱可塑性ポリマーとを含む二層接着化合物構造を支持する、繊維産業において融着性芯地として特に有用な熱融着性シート材料に関する。
【背景技術】
【０００２】
芯地は、衣類の隠れた足場である。芯地は、正確なフィット性及び最適な着用快適性を確保する。用途に応じて、芯地により、加工性が高まり、機能性が向上し、衣類が安定化する。衣類に加えて、これらの機能により、産業用繊維、例えば家具、室内装飾材料及び家庭用織物における用途を見出すことができる。
【０００３】
芯地に必要とされる重要な特性は、柔軟性、弾力性、風合い、洗浄及び手入れ耐久性、さらに使用時におけるバッキング材料側の適切な耐摩耗性である。
【０００４】
芯地は、不織布、織布、ループ型ニット又は同等の織物シート材料から構成され得る。通常、それらには接着化合物がさらに設けられ、それによって一般に、芯地は、熱及び／又は圧力により上部布地に接着され得る（融着性芯地）。このように、芯地は上部布地に貼り合わされる。上記の様々な織物シート材料は、その製造方法に応じて、異なる特性プロファイルを有する。織布は、縦糸方向及び横糸方向のスレッド又はヤーンからなり、ループ型ニットは、ループ構造によって、織物シート材料に連結されたスレッド又はヤーンからなる。不織布は、機械的、化学的又は熱的に結合されて繊維ウェブを形成するように堆積された個々の繊維からなる。
【０００５】
機械的不織布の場合、繊維ウェブは、繊維を機械的に絡め合わせることによって固化される。これには、ニードリング技術、又は水若しくは蒸気の噴出を用いたインターレースのいずれかが用いられる。比較的不安定な風合いであるが、ニードリングによって、柔軟な製品が得られ、そのためこの技術は、かなり特殊な分野での芯地に対してのみ確立されている。さらに、機械的なニードリングには、一般に５０ｇ／ｍ２を超える坪量が必要であり、多くの芯地用途には重すぎる。
【０００６】
水の噴出を利用して固化される不織布は、より少ない坪量で製造することができるが、一般に平坦であり、弾力性を欠いている。
【０００７】
化学的に結合される不織布の場合には、繊維ウェブは、含浸、吹付けによって、又は他の通例の塗布方法によって、バインダー（例えば、アクリレートバインダー）で処理され、その後硬化される。バインダーは繊維を互いに接着して不織布を形成するが、バインダーが繊維ウェブ全体に広く分散し、複合材料の構成における場合と同様に、全体にわたって繊維を互いに接着させることから、比較的硬い製品が得られる結果となる。風合い又は柔軟性のばらつきは、繊維の混合又はバインダーの選択によってでは、完全には補償することができない。
【０００８】
熱により結合される不織布は一般に、芯地として使用するために、カレンダー仕上げ又は熱風で固化される。不織芯地の現在の標準技術は、点状カレンダー固化（pointwise calendar consolidation）である。本明細書における繊維ウェブは一般に、特にこの方法のために開発されたポリエステル繊維又はポリアミド繊維からなり、繊維の融点付近の温度でカレンダーによって固化される。そのカレンダーの１つのロールはポイント凹版（point engraving）を有する。このようなポイント凹版は、例えば６４ポイント／ｃｍ２からなり、例えばシール面１２％を有し得る。ポイント配列なしでは、芯地はやや平坦に固化され、不適当に手触りが粗い。
【０００９】
織物シート材を製造するための上述した種々の方法は公知であり、教科書及び特許文献に記述されている。
【００１０】
芯地に塗布される接着化合物は通常、熱により活性化可能であり、一般に熱可塑性ポリマーからなる。これらの接着化合物コーティングを塗布する技術は、従来技術に従い、繊維シート材料上への個別の作業により行われる。接着化合物に関する技術として、公知であり、かつ特許文献に記述されているのは一般に、パウダーポイント、ペースト印刷、ダブルポイント、スプリンクリング（sprinkling）、ホットメルト法である。ダブルポイントコーティングは現在、手入れ処理（caring treatment）後の上部布地への接着に関して最も有効であると考えられている。
【００１１】
このようなダブルポイントは、アンダーポイント及びオーバーポイントからなるという点から、二層構造を有する。アンダーポイントは、基材（base material）を貫通し、接着化合物の逆しみに対するブロッキング層としての役割を果たし、オーバーポイント粒子を固定する役割を果たす。通例のアンダーポイントは、例えばバインダーからなる。使用する成分に応じて、アンダーポイントは、接着化合物の逆しみを予防し基材に固定するためのブロッキング層として寄与する。主に、二層複合体における主要な接着成分であり、かつアンダーポイント上に粉末として散りばめられるのは、熱可塑性材料で構成されるオーバーポイントである。散布後の余剰粉末（下層のポイント間）は、再度吸い取られる。その後行われる焼結の後、オーバーポイントは、アンダーポイント上で（熱により）結合され、上部布地に対して接着材料としての役割を果たすことができる。
【００１２】
芯地に意図される目的に応じて、様々な数のポイントが印刷され、かつ／又は接着化合物の量又はポイントパターンの幾何学的配置は様々である。一般的なポイント数は、例えば、含浸量９ｇ／ｍ２に関してはＣＰ１１０、或いは、含浸量１１ｇ／ｍ２ではＣＰ５２である。
【００１３】
ダブルポイント技術は、かなりの機械装置及び投資が必要となる点で不利である。というのは、熱可塑性のオーバーポイント材料を最初に散りばめなければならず、その後ポイント間の接着化合物の余剰分を再度吸い取らなければならず、不便かつ高コストとなるからである。この作業が十分になされず、或いは全くなされない場合には、芯地と上部布地とのラミネート融着後に、好ましくない風合い粗さが生じ、脱落した遊離ポリマー粒子が原因となって上部布地の汚れが生じ、ブロッキング層が存在しないことが原因となって層間付着（interply sticking）が起こり得る。
【００１４】
ペースト印刷も広く用いられている。この技術では、一般に８０μｍ未満の粒径を有する粒状の熱可塑性ポリマー、増粘剤、及び流動調整剤から水性分散液が調製され、その後回転スクリーン印刷法を用いて、バッキング層にペーストとして、通常、点状に塗布される。続いて、印刷後のバッキング層は乾燥作業にかけられる。ブロッキング層が存在しないため、接着化合物を塗布するペースト印刷は、結合性能及び接着化合物の逆しみに関してはダブルポイント法ほど良くない。
【発明の概要】
【発明が解決しようとする課題】
【００１５】
本発明の目的は、特に繊維産業において融着性芯地として使用される融着性織物シート材料であって、非常に優れた触覚的性質及び視覚的性質、並びに上部布地への非常に高い接着強度を有し、さらに製造するのが簡単かつ安価なシート材料を提供することである。
【課題を解決するための手段】
【００１６】
本発明者らは、この目的が、請求項１に記載のすべての特徴を有する融着性織物シート材料によって達成されることを見出した。本発明の好適な詳細は、従属請求項に記載されている。
【００１７】
本発明に従い、繊維材料で構成されるバッキング層を有し、かつバインダーと熱可塑性ポリマーとを含む二層接着化合物構造を支持する、繊維産業において融着性芯地として特に有用な熱融着性シート材料は、
バッキング層を提供する工程（ａ）と、
バインダーと熱可塑性ポリマーとの液体ベースの混合物、好ましくはバインダーと熱可塑性ポリマーとの水性分散液又はペースト、をバッキング層の選択領域に塗布する工程（ｂ）と、
工程（ｂ）で得られたバッキング層を熱処理し、混合物を支持して乾燥させ、場合によってバインダーを架橋し、バインダーを支持するバッキング層の表面上に又は表面と共に熱可塑性ポリマーを焼結する工程（ｃ）と、
を含む方法によって得られることを特徴とする。
【００１８】
本発明の熱融着性シート材料は、高い接着強度を有する点で注目に値する。実際の接着化合物として作用する、バインダーと熱可塑性ポリマーとで構成される結合ポイントは、驚くべきことに、上述のダブルポイント技術の接着化合物による結合ポイントと同等の接着強度を有することが明らかとなった。しかしながら、従来のダブルポイントとは対照的に、本発明のダブルポイントは、一段階の工程で塗布することができる。熱可塑性ポリマーは、粉末状ではなくバインダーとの混合物の状態で塗布されるため、ダブルポイント技術と対比して、本発明の方法は、脱落した余剰分又はポリマー粉末による汚染又は意図されない付着（sticking）の問題を完全に解消する。同様に、高コストかつ不便な吸引除去工程を省略することもできる。従って、本発明の熱融着性シート材料は製造するのが簡単かつ安価である。
【００１９】
バッキング層に使用される材料の選択、バインダーの選択、及び熱可塑性ポリマーの選択は、それぞれの意図する用途及び／又は特定の品質要求基準を考慮してなされる。原則的に、本発明は全く制限を課さない。当業者は目的に適した材料の組み合わせを容易に見出すことができる。
【００２０】
バッキング層は、本発明に従って、例えば織布又はメリヤス生地等の繊維材料からなる。好ましくは、バッキング層は不織布からなる。
【００２１】
不織布及び上記の更なる繊維材料としてのスレッド又はヤーンは、人造繊維又は天然繊維から構成され得る。使用される人造繊維は、好ましくはポリエステル、ポリアミド、再生セルロース、及び／又はバインダー繊維であり、天然繊維は、好ましくは羊毛又は綿繊維である。
【００２２】
人造繊維は、捲縮可能な、捲縮性の及び／又は非捲縮性のステープルファイバー（短繊維）、捲縮可能な、捲縮性の及び／又は非捲縮性の直接紡糸連続フィラメント繊維、及び／又はメルトブロー繊維等の有限繊維（finite fibers）を含み得る。
【００２３】
バッキング層は、単層構造又は多層構造を有し得る。
【００２４】
繊維線密度（繊度）が６．７ｄｔｅｘ（デシテックス）以下の繊維が、芯地に特に適している。それより粗い線密度を有する繊維は、そのかなりの繊維剛性のために通常使用されない。１．７ｄｔｅｘ程度の繊維線密度が好ましいが、１ｄｔｅｘ未満の線密度を有する超極細繊維も考えられる。
【００２５】
バインダーは、アクリレート、スチレン−アクリレート、エチレン−酢酸ビニル、ブタジエン−アクリレート、ＳＢＲ、ＮＢＲ、及び／又はポリウレタン系バインダーとすることができる。
【００２６】
実際の接着化合物としての役割を果たす熱可塑性ポリマーは、好ましくは、ポリエステル（共重合ポリエステル）ベースのポリマー、ポリアミド（共重合ポリアミド）ベースのポリマー、ポリオレフィンベースのポリマー、ポリウレタンベースのポリマー、エチレン酢酸ビニルベースのポリマー、及び／又は上記のポリマーの組み合わせ（混合物及び連鎖成長付加コポリマー）、を含む。
【００２７】
使用されるバインダー量の熱可塑性ポリマー量に対する比、及びバッキング層の湿潤性の違いによって、非常に厳密に結合された耐摩耗性製品であってかつ、起毛織布に相当し得る表面を有する非常に柔軟な不織布を得ることが可能となる。熱可塑性ポリマーの割合を高くすることによって、非常に高い離層抵抗を達成することが可能となる。溶液（liquor）から直接的又は間接的に、好ましくは粒状の熱可塑性ポリマーの表面を修飾することによって、バインダーマトリックスへのその組み込み量を変更することができる。粒子表面がバインダーマトリックスの他の成分によって非常に高い割合で占められることは、実現可能な結合力に対して好ましくない影響を与える。
【００２８】
例えば水性分散液状又はペースト状等の、液体ベースの状態で存在し得るバインダーと熱可塑性ポリマーとの混合物は、上述したようにポイントパターンでバッキング層に塗布されることが好ましい。これによって、材料の柔軟性及び弾力性が確保される。このポイントパターンは、規則的又は不規則的な分布とすることができる。しかしながら、本発明は、決してポイントパターンに限定されない。バインダーと熱可塑性ポリマーとの混合物は、例えば線状、縞状、網状又は格子状構造を含む所望の幾何学的配置で塗布することができ、ポイントは、長方形、ダイヤモンド形又は楕円形等の形状を有する。
【００２９】
本発明の熱融着性シート材料の好ましい製造方法は、
繊維材料からバッキング層を提供する工程（ａ）と、
バッキング層の選択領域にバインダーと熱可塑性ポリマーとの混合物を塗布する工程（ｂ）と、
工程（ｂ）で得られたバッキング層を熱処理し、混合物を支持して乾燥させ、場合によってバインダーを架橋し、バインダーを支持するバッキング層の表面上に又は表面と共に熱可塑性ポリマーを焼結する工程（ｃ）と、
を含む。
【００３０】
最初に記述した技術を用いて、不織布を製造することができる。不織布を形成するための繊維ウェブの繊維の結合は、バインダー又は熱により、（従来のニードリング技術、ウォータージェット技術を利用して）機械的に行うことができる。しかしながら、バインダーと熱可塑性ポリマーとの混合物で印刷される間に、バッキング層がさらにバインダー処理されて固化されることから、印刷前のバッキング層における不織布の強度は中程度で十分である。不織布に必要とされる中程度の強度は、風合いに関する要求基準を満たすという条件の下で、安価な繊維原料を用いて実現することも可能である。工程管理も簡略化することができる。分散液中のバインダーは、ポリマー粒子のバッキング層への固定を促進する。
【００３１】
ステープルファイバーを使用する場合、少なくとも１つのローラーカードでそれらをカーディングして繊維ウェブを形成すると有利である。不規則な重ね合わせ（random lapping）が好ましいが、特殊な不織布の特性を実現すべき場合、及び／又は多層繊維構造が望まれる場合には、縦方向及び／又は横方向の重ね合わせ、及び／又はさらに複雑なローラーカード配置との組み合わせも可能である。
【００３２】
繊維材料又は不織布で作られたバッキング層は、印刷機によってバインダーと熱可塑性ポリマーとを含む分散液を用いて直接印刷され得る。この目的のため、印刷作業をより着実なものとするように、印刷前にバッキング層を繊維助剤で湿潤するか、又は他の望ましい方法で処理するのがおそらく賢明である。
【００３３】
好ましくは、印刷用混合物は分散液の状態で（分散液状で）存在する。
【００３４】
使用される分散液は、好ましくは、
アクリレート、スチレン−アクリレート、エチレン−酢酸ビニル、ブタジエン−アクリレート、ＳＢＲ、ＮＢＲ、及び／又はポリウレタン系の架橋剤又は架橋性バインダーと、
増粘剤（例えば、一部架橋されたポリアクリレート及びその塩）、分散剤、湿潤剤、流動調整剤、風合い改質剤（例えば、シリコーン化合物又は脂肪酸エステル誘導体）及び／又は充填剤（フィラー）等の助剤と、
接着化合物として作用する一種又は複数種の熱可塑性ポリマーと、
を含む。
【００３５】
熱可塑性ポリマーは、好ましくは粒子の状態で（粒子状で）存在する。織物バッキング層は粒子とバインダーとの分散液で印刷され、場合によって更なる成分との分散液で印刷されるため、驚くべきことに、バインダーは粗い粒子から分離し、粗い粒子は結合領域の上側、例えばポイント表面に静止することが分かった。バインダーは、バッキング層に固定されること及び前記バッキング層を結合することに加えて、より粗い粒子をも結合する。同時に、粒子とバインダーとの部分的な分離が、バッキング層の表面で起こる。バインダーは材料中により深く浸透し、粒子は表面に蓄積する。その結果、ポリマーの粗い粒子はバインダーマトリックス中に結合するが、同時に不織布の表面の空いた領域は、上部布地への直接的な接着結合に利用することができる。ダブルポイントに類似の構造が開発されているが、公知のダブルポイント法におけるこの構造の製造とは異なり、単一段階の工程のみが必要とされ、さらに高コストで不便な余剰粉末の吸引除去はもはや必要ない。
【００３６】
二重層接着化合物ポイントは、最初に塗布される層がブロッキング層として作用することから、接着化合物の逆しみが生じにくい点で注目に値する。驚くべきことに、ダブルポイントに類似する本発明の結合ポイントもまた、この優れた特性を示す。明らかに、本明細書に記載の方法によって、結合ポイントにおいてその場でブロッキング層が形成され、熱可塑性ポリマーの逆しみが効果的に抑制され、結果的に製品の優れた特性が高められる。
【００３７】
粒子サイズは、印刷される領域、例えば結合ポイント、の所望のサイズに従って決定される。ポイントパターンの場合には、粒径（粒子の直径）は、０μｍよりも大きくかつ５００μｍ未満の範囲で様々である。原則的に、熱可塑性ポリマーの粒子サイズは単一ではなく分布を有し、すなわち常に粒径分布を有する。上記の限界値は、それぞれの主な端数（fractions）である。粒子サイズは、目的の塗布率、ポイントサイズ及びポイント分布に合致しなければならない。
【００３８】
使用されるバインダーのガラス転移点は様々であるが、柔軟性のある製品に関しては、１０℃未満のガラス転移点Ｔｇを有する「柔軟な」バインダーが好ましいことは従来どおりである。補助材料は、ペーストの粘度を調節する役割を果たす。適切なバインダーによって、広範囲に亘って芯地の触感性を変化させることが可能となる。
【００３９】
印刷作業後、材料を熱処理にかけて乾燥させ、任意にバインダーを架橋し、バインダー層及びバッキング層、特に不織布の表面上に又はその表面と共に、熱可塑性ポリマーを焼結する。次に、材料を巻き上げる。
【００４０】
熱融着性織布の好ましい一用途は、繊維産業における芯地としての用途である。しかしながら、本発明の熱融着性織物シート材料の使用はこの用途に限定されない。他の用途としては、例えば、布張りされた家具等の家庭用織物、強化された座席構造、座席カバー等の融着性織物シート材料、又は、自動車室内、靴構成要素、若しくは医療・衛生分野における融着性及び伸縮性織物シート材料が考えられる。
【００４１】
本発明は、繊維産業で融着性芯地として使用される本発明の熱融着性織物シート材料の具体例を用いて、一般性を失うことなく記述される。
【００４２】
用いられる試験方法：
以下に記載する説明的実施形態（実施例）に示すように、工場内（in-house）において、１４０℃及び１２秒の連続プレスにて、ポプリン型の上部布地への融着が行われた。ＤＩＮ  ５４３１０又はＤＩＮ  ＥＮ  ＩＳＯ  ６３３０に基づいて離層抵抗が決定された。離層抵抗試験において、上部布地と芯地との接着が非常に強力であり、実施されている試験中、層間剥離が完了する前に芯地が裂けた場合には、離層抵抗値は「ｓｐ」で示される。接着性は原則として芯地の内部強度よりも強いため、これは目標とされる最大値である。
【００４３】
接着化合物の逆しみを決定するために、外側の上部布地と共に芯地から形成される内部サンドイッチを上記の設定に従って融着プレスに通す。内層の接着性が低いほど、接着化合物の逆しみが少なくなる。
【実施例】
【００４４】
（実施例１）
１．７ｄｔｅｘ／３８ｍｍのＰＥＳ繊維１００％からなり、坪量３５ｇ／ｍ２を有する繊維ウェブをローラーカードにかける。平滑ロール面の結合温度が標準法に比べて５℃低い状態とされたカレンダーで、２２１℃にてこの繊維ウェブをポイント固化する。これにより、より高い柔軟性を不織布に付与することが可能となる。不織布に弱く結合された繊維ウェブを、次に１１０ポイント／ｃｍ２で回転スクリーン印刷機に通し、（乾燥重量基準で）含浸量１８ｇ／ｍ２のバインダー・ポリマー分散液を用いて点状に印刷する。印刷後の不織布は、ベルト乾燥機にて１７５℃で乾燥され、バインダーは架橋し、ポリマー粒子は不織布の上でそれと共に焼結される。
【００４５】
バインダー・ポリマー分散液は以下の組成を有する。
ｔｇ＝−１２℃の自己架橋性ブチルアクリレート／エチルアクリレートバインダー分散液：１２部
溶融領域約１１５℃のコポリアミド粉末（粒径が０より大きく１６０μｍ以下）：２４部
湿潤剤ａ／／ｎ／ｉ：１部
増粘剤：３部
水：６０部
【００４６】
（実施例２）
坪量２０ｇ／ｍ２を有し、かつ、１．７ｄｔｅｘ／３８ｍｍのナイロン６繊維５０％と１．７ｄｔｅｘ／３４ｍｍのＰＥＴ（ポリエステル）繊維５０％とからなり、ローラーカードにかけられた繊維ウェブを、水圧２０バールでノズルストリップを通して予め湿潤し、残留含水率４５％となるまで余剰の水分を除去する。圧力が低いため、水流交絡法による固化と比較して固化が非常に弱い。非常に柔軟な不織布を形成するように結合された繊維ウェブを、次に１１０ポイント／ｃｍ２で回転スクリーン印刷機に通し、（乾燥重量基準で）含浸量９ｇ／ｍ２のバインダー・ポリマー分散液を用いて点状に印刷する。印刷後の不織布は、ベルト乾燥機にて１７５℃で乾燥され、バインダーは架橋し、ポリマー粒子は不織布の上でそれと共に焼結される。
【００４７】
バインダー・ポリマー分散液は以下の組成を有する。
ｔｇ＝−２８℃の自己架橋性ブチルアクリレート／エチルアクリレートバインダー分散液：９部
溶融領域約１１０℃のコポリアミド粉末（粒径が６０〜１３０μｍ）：２７部
湿潤剤ａ／／ｎ／ｉ：１部
分散剤：２部
増粘剤：２部
水：５９部
【００４８】
（実施例３）
坪量４０ｇ／ｍ２を有し、かつ、スパンボンド法により紡糸されたナイロン６からなるランダム配列の繊維ウェブを、最初に回収ベルト上に堆積させ、次に実施例２と同様に１９０℃にて一対のロールに通し、ポイント結合して柔軟なスパンボンドを形成する。柔軟なスパンボンドを３７ポイント／ｃｍ２のスクリーンと共に回転スクリーン印刷機に通し、含浸量１６ｇ／ｍ２のバインダー・ポリマー分散液を用いて点状に印刷する。印刷後の不織布は、次にバンド乾燥機にて１７５℃で乾燥され、バインダーは架橋し、ポリマー粒子は不織布の上でそれと共に焼結される。
【００４９】
バインダー・ポリマー分散液は以下の組成を有する。
ｔｇ＝−１８℃の自己架橋性ブチルアクリレート／エチルアクリレートバインダー分散液：７部
ｔｇ＝−１０℃の自己架橋性ブチルアクリレート／エチルアクリレートバインダー分散液：７部
溶融領域約１２０℃のコポリアミド粉末（粒径が８０〜２００μｍ）：３２部
湿潤剤ａ／／ｎ／ｉ：１部
分散剤：２部
増粘剤：１部
水：５０部
【００５０】
各実施例に従って製造された織物シート材料の製品特性を表１に示す。表２は、実施例１による織物シート材料とサーマルボンドによる比較例との比較を示す。
【００５１】
【表１】
2011503372.tif 000002
【００５２】
【表２】
2011503372.tif 000003
【００５３】
本発明に係る全ての織物シート材料は、高い離層抵抗に加えて、高い機械的強度、高い伸長性、及び良好な摩耗抵抗を有する点で注目に値することが、表に示される数値から明らかである。
【国際調査報告】
2011503372.tif 000004
2011503372.tif 000005
2011503372.tif 000006
2011503372.tif 000007